(57)【特許請求の範囲】
【請求項１】
棒状乃至板状の軽金属素材を鍛造加工乃至はプレス加工にて複数の三次元曲面形状に形成されたフェース部材（２）、クラウン部材（５）、ホーゼル部材（９）及びソール・バックフェース部材（３）から構成されてなる中空外殻構造を有するヘッド本体（１Ａ）が、一体に接合してなるゴルフクラブヘッド（１）において、前記ソール・バックフェース部材（３）のソール部（３Ａ）内の上面にヘッド本体（１Ａ）の外殻部材を形成する素材と同一材料で形成すると共に、厚さが１〜５ｍｍで、高さが３〜５０ｍｍに設定された打球音制御部材（４）をヘッド本体（１Ａ）のフェース部（２Ａ）とソール部（３Ａ）の接合部の最突出部からバックフェース部方向に１５ｍｍ以上乃至はヘッド奥行き長さＬｍｍ以下の間隙を有するように設けると共に、クラウン部材（５）及びホーゼル部材（９）に対して離間状態で設けると共に、ソール・バックフェース部材（３）の側壁部（３Ｂ）とは接合一体化した構造を特徴とするゴルフクラブヘッド（１）。
【請求項２】
棒状乃至板状の軽金属素材を鍛造加工乃至はプレス加工にて複数の三次元曲面形状に形成されたフェース・ホーゼル部材（２０）、クラウン部材（５）、及びソール・バックフェース部材（３）から構成されてなる中空外殻構造を有するヘッド本体（１Ａ）が、一体に接合してなるゴルフクラブヘッド（１）において、前記ソール・バックフェース部材（３）のソール部（３Ａ）内の上面にヘッド本体（１Ａ）の外殻部材を形成する素材と同一材料で形成すると共に、厚さが１〜５ｍｍで、高さが３〜５０ｍｍに設定された打球音制御部材（４）をヘッド本体（１Ａ）のフェース部（２Ａ）とソール部（３Ａ）の接合部の最突出部からバックフェース部方向に１５ｍｍ以上乃至はヘッド奥行き長さＬｍｍ以下の間隙を有するように設けると共に、フェース・ホーゼル部材（２０）及びクラウン部材（５）に対して離間状態で設けると共に、ソール・バックフェース部材（３）の側壁部（３Ｂ）とは接合一体化した構造を特徴とするゴルフクラブヘッド（１）。
【請求項３】
前記打球音制御部材（４）は、ヘッド本体（１Ａ）の打球方向延長線Ｘに対して＋９０度から−９０度の範囲に設けた構造を特徴とする請求項１又は２記載のゴルフクラブヘッド（１）。
【請求項４】
前記打球音制御部材（４）は、ヘッド本体（１Ａ）の打球方向延長線Ｘ上に沿って設けた構造を特徴とする請求項１又は２記載のゴルフクラブヘッド（１）。
【請求項５】
前記打球音制御部材（４）は、ヘッド本体（１Ａ）の打球方向延長線Ｘ上及び打球方向延長線Ｘに対して±４５度から±７５度の範囲に設けたことを特徴とする請求項１又は２記載のゴルフクラブヘッド（１）。
【請求項６】
前記打球音制御部材（４）は、ソール・バックフェース部材（３）のソール部（３Ａ）と側壁部（３Ｂ）に接触状態で複数の点接合で一体化した構造を特徴とする請求項１、２、３、４、又は５記載のゴルフクラブヘッド（１）。
【請求項７】
前記打球音制御部材（４）は、ソール・バックフェース部材（３）のソール部（３Ａ）と側壁部（３Ｂ）内面で接線状に接合一体化した構造を特徴とする請求項１、２、３、４、又は５記載のゴルフクラブヘッド（１）。
【発明の詳細な説明】
【０００１】
【発明の属する技術分野】
本発明は、例えば純チタン乃至はチタン合金等の軽金属からなる中空外殻構造を有するゴルフクラブヘッドに関し、特に、ヘッド本体の内部構造に工夫を施すことにより、打球時に快音を轟かせ、打球音及び打球感の向上を図ると共にゴルフボールの飛距離を向上するようにしたゴルフクラブヘッドに関するものである。
【０００２】
【従来の技術】
従来、この種のゴルフクラブヘッドにおいては、例えばアルミニウム合金にて鋳造成形されたヘッド本体内に複数本の補強リブを設けたり、あるいは、図１３に示す実公昭６１−３３９７０号公報に開示されているように、ヘッド本体２１をチタン乃至はチタン合金にて複数の外殻部材にプレス成形し、これら各々の外殻部材を溶接等により一体に接合するとともに、ヘッド本体２１内にＬ字型の補強リブ部材２６を設けて、打球時の応力からフェース部２３の変形を防止する構成のゴルフクラブヘッド２０が公知である。
【０００３】
更に、最近では、チタン合金製の鍛造外殻部材を用いた大容量のゴルフクラブヘッドが好まれる傾向が顕著となり、そのため肉厚が薄くヘッド本体の容積も２７０ｃｃを超えるものも市場に出回り始めている。
【０００４】
これら大型ヘッドは、初心者にはゴルフボールをジャストミートし易く、需要が高まっているが、ヘッド容積が大きくなった分ヘッド外殻部材の肉厚が薄くなり打球した際に、打球音が低くなる傾向が顕著で、一般的に好まれる高い金属音とはかけ離れた傾向にあった。
【０００５】
【発明が解決しようとする課題】
このような従来構造のゴルフクラブヘッドにあっては、ロストワックス精密鋳造法によりアルミニウム合金で成形されたヘッド本体内に設けられた各々の補強リブがフェース部、クラウン部、周側壁部及びソール部の全周に亘って連続して形成されており、特に、フェース部及びクラウン部を補強することを目的としているが、ロストワックス精密鋳造法による成形では自ずから肉厚設計が設計段階で制限され、あまり薄肉の部材を成形出来ないため、大型のヘッド本体を成形することが出来ないと言った問題点を有していた。
【０００６】
また、純チタンあるいはチタン合金を鍛造成形やプレス加工により複数の外殻部材に形成して、溶接等により一体に接合してなるヘッド本体２１内に設けたＬ字型の補強リブ部材２６は、フェース部２３の裏面とソール部２４の内面とにまたがって溶着されるため溶接部の補強を目的としているものであった。
【０００７】
このため、上記した各々のゴルフクラブヘッド２０では、ヘッド本体２１内に設けた補強リブ部材２６又は補強部材によって、打球時の打球音が抑制され打球音及び打球感に劣るという欠点を有していた。
【０００８】
又、最近流行のヘッド容積の大きいゴルフクラブヘッドの打球音を改善するために、図１４に示す特開平１０−２４１２８号に開示されている様に、ヘッド本体２１のソール部２４の内面に音響調整部材２７をフェース部２３、クラウン部２５及び周側壁部２２に対して隙間２８を有する離間状態で設けたことを特徴とするゴルフクラブヘッドも公知となっている。
【０００９】
更に、図１５に示す特開平１１−３４７１５６号に開示されている様に、ソール部２４内面に接合されたウエイト付加板片２９の下面の形状がソール部２４内面の彎曲面と略同一形状に形成して設けたことを特徴とするゴルフクラブヘッド２０も公知となっている。
【００１０】
確かに特開平１０−２４１２８号に開示されているゴルフクラブヘッド２０に関しては、ソール部２４の振動が音響調整部材２７によって抑制され打球音を改善する効果は発揮出来るが、音響調整部材２７が、ソール部２４のフェース部２３からバックフェース部３０に亘って溶接されているため、例え音響調整部材２７とフェース部材２３の隙間２８が３ｍｍから１０ｍｍ、好ましくは５〜８ｍｍの範囲になるよう構成していても、ソール部２４のフェース部後方部位２４Ａの剛性が増加するため、フェース部２３の反発係数が低下し、ゴルフボールの飛距離自体が低下すると言った新たな問題を有するものであった。又、特開平１１−３４７１５６号に開示されているゴルフクラブヘッド２０に関しては、ウエイト付加板片２９をソール部２４の内側の領域に渡ってソール部２４内面の彎曲面と略同一形状に形成されているため、ソール部２４の振動がウエイト付加板片２９により抑制され打球音は改善されるが、逆にウエイト付加板片２９を接合したことにより、ソール部２４の剛性が著しく大きくなるため、該ソール部２４のフェース部後方部位２４Ａの剛性に最も影響を受けるフェース部２３の反発特性に顕著に影響し、ヘッド本体２１の反発特性が著しく阻害されゴルフボールの飛距離が低下すると言った問題点を有していた。
【００１１】
これら、特開平１０−２４１２８号や特開平１１−３４７１５６号に開示されているゴルフクラブヘッドにおいては、いずれもヘッド本体フェース部後方のソール部の剛性が高くなるが、ソール部と側壁部である外周部間の剛性は、これら両者の構造では、向上させることが出来なかった。
【００１２】
更に、ウエイト付加板片により逆に打球時の固有振動数が低下することがあり、特にウエイト付加板片の取付け位置により、フェース部の反発に悪影響を与えると共に、打球音の改善にもさほど思った効果が得られないと言った問題点を有していた。
【００１３】
本発明の目的は、これら従来の欠点に鑑み、飛距離やヘッド性能を犠牲にせず、心地良い打球音を得られるようにしたゴルフクラブヘッドを提供することにある。
【００１４】
【課題を解決するための手段】
これらの課題を解決するために、本発明は、例えば棒状乃至板状の軽金属素材を鍛造加工乃至はプレス加工にて複数の三次元曲面形状に形成されたフェース部材、クラウン部材、ホーゼル部材及びソール・バックフェース部材から構成されてなる中空外殻構造を有するヘッド本体が、一体に接合してなるゴルフクラブヘッドにおいて、前記ヘッド本体のソール部内の上面にヘッド本体の外殻部材を形成する素材と同一材料で形成すると共に、厚さが１〜５ｍｍで、高さが３〜５０ｍｍに設定された打球音制御部材をフェース部、クラウン部及びホーゼル部に対して離間状態で設けると共に、側壁部とは接合一体化した構造を特徴とするゴルフクラブヘッドである。
【００１５】
【発明の実施の形態】
以下、本発明の実施の形態を説明する。
【００１６】
本発明に係る請求項１のゴルフクラブヘッドは、上記目的を達成するために、棒状乃至板状の軽金属素材を鍛造加工乃至はプレス加工にて複数の三次元曲面形状に形成されたフェース部材、クラウン部材、ホーゼル部材及びソール・バックフェース部材から構成されてなる中空外殻構造を有するヘッド本体が、前記ソール・バックフェース部材のソール部の内上面にヘッド本体の外殻部材を形成する素材と同一材料で形成すると共に、厚さが１〜５ｍｍで、高さが３〜５０ｍｍに設定された打球音制御部材をヘッド本体（１Ａ）のフェース部とソール部の接合部の最突出部からバックフェース部方向に１５ｍｍ以上乃至はヘッド奥行き長さＬｍｍ以下の間隙を有するように設けると共に、クラウン部材及びホーゼル部に対して離間状態で設けると共に、ソール・バックフェース部材の側壁部とは接合一体化した構造を特徴とするゴルフクラブヘッドである。
【００１７】
本発明に係る請求項２のゴルフクラブヘッドは、上記目的を達成するために、棒状乃至板状の軽金属素材を鍛造加工乃至はプレス加工にて複数の三次元曲面形状に形成されたフェース・ホーゼル部材、クラウン部材、及びソール・バックフェース部材から構成されてなる中空外殻構造を有するヘッド本体が、一体に接合してなるゴルフクラブヘッドにおいて、前記ソール・バックフェース部材のソール部内の上面にヘッド本体の外殻部材を形成する素材と同一材料で形成すると共に、厚さが１〜５ｍｍで、高さが３〜５０ｍｍに設定された打球音制御部材をフェース・ホーゼル部材のフェース部とソール部の接合部の最突出部からバックフェース部方向に１５ｍｍ以上乃至はヘッド奥行き長さＬｍｍ以下の間隙を有するように設けると共に、打球音制御部材をフェース・ホーゼル部材及びクラウン部材に対して離間状態で設けると共に、ソール・バックフェース部材の側壁部とは接合一体化した構造を特徴とするゴルフクラブヘッドである。
【００１８】
本発明に係る請求項３のゴルフクラブヘッドにおいては、打球音制御部材は、ヘッド本体の打球方向延長線Ｘに対して＋９０度から−９０度の範囲に設けた構造を特徴とするゴルフクラブヘッドである。
【００１９】
本発明に係る請求項４のゴルフクラブヘッドにおいては、打球音制御部材はヘッド本体の打球方向延長線Ｘ上に沿って設けたことを特徴とするゴルフクラブヘッドである。
【００２０】
本発明に係る請求項５のゴルフクラブヘッドにおいては、打球音制御部材はヘッド本体の打球方向延長線Ｘ上及び打球方向延長線Ｘに対して±４５度から±７５度の範囲に設けたことを特徴とするゴルフクラブヘッドである。
【００２１】
次に、本発明に係る請求項６のゴルフクラブヘッドは、打球音制御部材が、ソール・バックフェース部材のソール面と側壁部に接触状態で複数の点接合で一体化したことを特徴とするゴルフウッドクラブヘッドである。
【００２２】
なお、その際には、打球音制御部材の一方の下端部でソール・バックフェース部材側のソール部側に接触している部位と、他方の上端部で側壁部に接触している部位の少なくとも２個所（打球音制御部材の左右両面４点）を接合一体化することが出来るものである。
【００２３】
更に、上記以外に他方の下端部で側壁部に接触している部位と合わせて３個所（打球音制御部材の左右両面６点）を接合一体化することが出来るものである。無論、必要に応じて、多数の点接合で一体化しすることも可能であるが、製造コストと耐久性の点を考慮すれば３箇所（打球音制御部材の左右両面６点）接合が好ましいものである。
【００２４】
更に、本発明に係る請求項７のゴルフクラブヘッドは、打球音制御部材が、ソール・バックフェース部材のソール面と側壁部の内面で接線状に接合一体化したことを特徴とするゴルフクラブヘッドである。
【００２５】
なお、本発明に係る打球音制御部材をヘッド本体のソール部の内上面及び側壁部に接合一体化する方法としては、溶接による溶着が一般的であるが、ろう付けや接着等により接合一体化出来るものである。
【００２６】
【実施例】
本発明に係るゴルフクラブヘッドについて実施例を基に説明すれば、以下の様になる。
【００２７】
即ち、図１及び図３に示すように、ゴルフクラブヘッド１は、丸棒乃至は板状の軽金属素材（純チタンあるいはチタン合金、アルミニウム合金、マグネシウム合金等）を鍛造加工乃至はプレス成形によって比較的肉厚なフェース部２Ａを有するフェース部材２と、比較的薄肉なクラウン部材５、トウ部６からバックフェース部８及びヒール部７を形成する側壁部３Ｂとソール部３Ａを含むソール・バックフェース部材３との三次元曲面形状の部材に３分割形成したものを溶接により一体に接合してなる構成を有する。
【００２８】
そして、前記ゴルフクラブヘッド１のソール・バックフェース部材３内には、板状の打球音制御部材４が設けられていて、この打球音制御部材４は、図１に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘ上及びヘッド本体１Ａの打球方向延長線Ｘ上に対して＋９０度から−９０度の範囲に立設状態で配されているとともに、前記フェース部材２、クラウン部材５に対しては接合しない離間状態で溶接等により接合されているものである。
【００２９】
次に、本発明のその他実施例を図面に基づいて説明すれば、即ち、図２に示すように、棒状乃至板状の軽金属素材を鍛造加工乃至はプレス加工にて複数の三次元曲面形状に形成されたフェース・ホーゼル部材２０、クラウン部材５、及びソール・バックフェース部材３から構成されてなる中空外殻構造を有するヘッド本体１Ａが、一体に接合してなるゴルフクラブヘッド１において、前記ソール・バックフェース部材３のソール部３Ａ内の上面に打球音制御部材４をフェース・ホーゼル部材２０、クラウン部材５に対して離間状態で設けると共に、ソール・バックフェース部材３の側壁部３Ｂとは接合一体化した状態で設けたことを特徴とするゴルフクラブヘッド１である。
【００３０】
次に、本発明のその他実施例を図面に基づいて説明すれば、即ち、図３に示すように、ゴルフクラブヘッド１のソール・バックフェース部材３内に設けられている多数の打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘの方向に対して＋９０度から−９０度の範囲に立設状態で配置することが可能である。図４においては、打球音制御部材４をヘッド本体１Ａの打球方向延長線Ｘの方向に対して＋９０度から−９０度の範囲に５片立設状態で配置しているが、これらの立設数は、１片でもよいし、複数片でもよい。その際これら打球音制御部材４をヘッド本体１Ａにバランスよく配置することが好ましく、且つ、前記フェース部材２、クラウン部材５に対しては接合しない離間状態で溶接等により接合されているものである。
【００３１】
次に、本発明のその他実施例を図面に基づいて説明すれば、即ち、図４に示すように、ゴルフクラブヘッド１のソール・バックフェース部材３内に設けられている多数の打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘの方向上及び打球方向延長線Ｘの方向に対して＋９０度から−９０度の範囲で立設状態で配されているとともに、打球方向延長線Ｘ上の方向に前記フェース部材２、クラウン部材５に対しては接合しない離間状態で溶接等により接合されているものである。
【００３２】
次に、本発明のその他実施例を図面に基づいて説明すれば、即ち、図５に示すように、ゴルフクラブヘッド１のソール・バックフェース部材３内に設けられている打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘ上の方向に立設状態で配されているとともに、前記フェース部材２、クラウン部材５に対しては接合しない離間状態で溶接等により接合されているものである。
【００３３】
次に、本発明のその他実施例を図面に基づいて説明すれば、即ち、図６に示すように、ゴルフクラブヘッド１のソール・バックフェース部材３内に設けられている打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘ上及びヘッド本体の打球方向延長線Ｘ上に対して＋９０度の方向に立設状態で配されているとともに、前記フェース部材２、クラウン部材５に対しては接合しない離間状態で溶接等により接合されているものである。なお、図６に示すように、打球音制御部材が、ソール・バックフェース部材のソール面と側壁部の内面で接線状に接合一体化することも可能である。このように溶接することにより、各部材間の剛性に寄与できるものである。
【００３４】
又、本発明のその他実施例を図面に基づいて説明すれば、即ち、図７に示すように、ゴルフクラブヘッド１のソール・バックフェース部材３内に設けられている打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体１Ａの打球方向延長線Ｘ上及びヘッド本体の打球方向延長線Ｘ上に対して−９０度の方向に立設状態で配されているとともに、前記フェース部材２、クラウン部材５に対しては接合しない離間状態で溶接等により接合されているものである。
【００３５】
更に、本発明のその他実施例を図面に基づいて説明すれば、即ち、図８に示すように、ゴルフクラブヘッド１のソール・バックフェース部材３内に設けられている打球音制御部材４は、図に示すように一方の端部が略矩形形状であって、側壁部３Ｂに接合する他方の端部は、側壁部３Ｂの彎曲形状に相似する形状を有する板状部材からなり、該打球音制御部材４は、ヘッド本体の打球方向延長線Ｘ上に対して±９０度の方向に立設状態で配されているとともに、前記フェース部材２、クラウン部材５に対しては接合しない離間状態で溶接等により接合されているものである。
【００３６】
更に、本発明のその他実施例を図面に基づいて説明すれば、即ち、図９に示すように、ゴルフクラブヘッド１のソール・バックフェース部材３内に設けられている打球音制御部材４は、図に示すように一方の端部が略矩形形状であって、側壁部３Ｂに接合する他方の端部は、側壁部３Ｂの彎曲形状に相似する形状を有する板状部材からなり、ヘッド本体の打球方向延長線Ｘ上に対して±６０度の方向に立設状態で配されているとともにフェース部材２に対しては接合しない離間状態で溶接等により接合されているものである。
【００３７】
なお、その際の打球音制御部材４の寸法としては、高さが１６ｍｍ、幅が３５ｍｍ、肉厚としては２．２ｍｍであり、ヘッド本体の打球方向延長線Ｘ上に対して±６０度の方向に立設状態で配されており、且つ±６０度の方向と打球方向延長線Ｘ上の交点とフェース部からの離間距離としては３５ｍｍ間隙を設けて接合することが好ましいものである。そして、その際の一実施例として純チタン製乃至はチタン合金製のゴルフクラブにおいては、クラウン部材の肉厚を１．１ｍｍ±０．３ｍｍ程度、ソール・バックフェース部材３の肉厚を１．２ｍｍ±０．３ｍｍ程度、フェースホーゼル部材の肉厚を２．２ｍｍから３．２ｍｍ程度の範囲の肉厚があれば良い。
【００３８】
なお、本発明の該打球音制御部材４は、ヘッド本体の打球方向延長線Ｘ上に対して±４５度から±７５度の範囲に立設状態で配置することも可能である。
【００３９】
更に、本発明に係る打球音制御部材４としては、ヘッド本体１Ａの外殻部材を形成する素材と同一材料である純チタンあるいはチタン合金等で形成することが出来るが、その際、厚さが１〜５ｍｍ、好ましくは１．５〜２．５ｍｍで、高さが３〜５０ｍｍ乃至は３〜２５ｍｍ、好ましくは１０〜２０ｍｍに設定することが可能である。
【００４０】
特に、図１４に示すように、打球音制御部材４は、ヘッド本体１Ａのフェース部とソール部の接合部の最突出部からの間隙Ｌはバックフェース部方向に１５ｍｍ以上乃至はヘッド奥行き長さ以下の間隙を有するように設けたことを特徴とするゴルフクラブヘッド１である。
【００４１】
なお、好ましくは打球音制御部材４との間隙Ｌ１は、１５ｍｍ〜５０ｍｍの範囲になるようにすれば、ソール部のフェース部後方部位３Ｃの剛性を増加することがないため、フェース部２Ａの反発係数を低下させることを防止できゴルフボールの飛距離を増加させると言った作用効果を顕著に生じるものである。更に、本発明の打球音制御部材４によりソール・バックフェース部材３のソール部３Ａと側壁部３Ｂとは、接合一体化しているためこれら両者間での剛性がヘッド本体単独のものと比較して著しく向上するため、打球時のヘッド本体１Ａの安定感が改善され、更に、打球音の周波数及び音量の増加を期待することができ、打球時の音響効果を高めることができるとともに、打球音及び打球感を向上させ且つ、ゴルフボールの飛距離を向上させることができるものである。
【００４２】
又、図１１に示すように、ソール部３Ａと側壁部３Ｂの接合箇所に切欠部４ａを形成した打球音制御部材４Ａや、図１２に示すような将棋の駒のような五角形形状の打球音制御部材４Ｂの形状に形成しても良い。このような形状にすれば、打球音制御部材４の重量を軽減出来て、ヘッド自体の重量も軽量化出来るものである。
【００４３】
以上のように、本発明は、上記の構成を採用することにより、ヘッド本体１Ａのソール・バックフェース部材３の内側に打球音制御部材４を設け、この打球音制御部材４を側壁部３Ｂとは、接合一体化し、フェース部材２、クラウン部材５に対しては間隙を持たせて離間状態で設けてなるために、打球時のソール・バックフェース部材３の振動は打球音制御部材４にて抑制されるものの、ソール・バックフェース部材３の剛性やフェース部材２の反発係数には影響が及ぼされず、これによって、打球時には、一般的に好まれる高い金属音のような打球音を生じるものである。
【００４４】
しかも、打球音制御部材４の構成を調整することにより、ヘッド本体の容積比が更に大きくなっても対応が可能となり、大型ゴルフクラブヘッドの設計の自由度が向上するものである。
【００４５】
【発明の効果】
以上の説明から明らかなように、本発明は、ヘッド本体のソール・バックフェース部材の内面にヘッド本体の外殻部材を形成する素材と同一材料で形成すると共に、厚さが１〜５ｍｍで、高さが３〜５０ｍｍに設定された打球音制御部材をヘッド本体のフェース部とソール部の接合部の最突出部からバックフェース部方向に１５ｍｍ以上乃至はヘッド奥行き長さＬｍｍ以下の間隙を有するように設けると共に、打球音制御部材をフェース部材、クラウン部材及びホーゼル部材等に対しては間隙を持たせて離間状態で設け、ソール・バックフェース部材の側壁部とは、接合一体化してなることから、ソール部の振動が打球音制御部材にて抑制され、且つソール・バックフェース部材のフェース部後方部位の剛性が増加することなく、フェース部の反発係数を低下することなく、且つソール・バックフェース部材のソール部と側壁部とは、接合一体化しているためこれら両者間での剛性がヘッド本体単独のものと比較して著しく向上するため、打球時のヘッド本体の安定感が改善され、更に、打球音の周波数及び音量の増加を期待することができ、打球時の音響効果を高めることができるとともに、打球音及び打球感を向上させ且つ、ゴルフボールの飛距離を向上させることができるものである。
【００４６】
本発明は、ヘッド本体の容積が増加し、３５０ｃｃ以上５００ｃｃ以下程度の大型ヘッドに対しても十分対応するゴルフクラブヘッドを供給出来るものである。
【図面の簡単な説明】
【図１】 本発明に係るゴルフクラブヘッドの一実施の形態を示す分解説明図。
【図２】 本発明に係るゴルフクラブヘッドのその他実施の形態を示す分解説明図。
【図３】 本発明に係るゴルフクラブヘッドの一実施例であるソール・バックフェース部材を示す斜視図。
【図４】 本発明に係るゴルフクラブヘッドの一実施例であるソール・バックフェース部材を示す斜視図。
【図５】 本発明に係るゴルフクラブヘッドの一実施例であるソール・バックフェース部材を示す斜視図。
【図６】 本発明に係るゴルフクラブヘッドの一実施例であるソール・バックフェース部材を示す斜視図。
【図７】 本発明に係るゴルフクラブヘッドの一実施例であるソール・バックフェース部材を示す斜視図。
【図８】 本発明に係るゴルフクラブヘッドの一実施例であるソール・バックフェース部材を示す斜視図。
【図９】 本発明に係るゴルフクラブヘッドの一実施例であるソール・バックフェース部材を示す斜視図。
【図１０】本発明に係るゴルフクラブヘッドの一実施例であるソール・バックフェース部材を示す平面図。
【図１１】 本発明に係るゴルフクラブヘッドの一実施例である図１０のＡ−Ａ部断面を示す要部断面図。
【図１２】 本発明に係るゴルフクラブヘッドの一実施例である図１０のＡ−Ａ部断面を示す要部断面図。
【図１３】従来のゴルフクラブヘッドの形態を示す分解説明図。
【図１４】従来のゴルフクラブヘッドの形態を示す断面図。
【図１５】従来のゴルフクラブヘッドの形態を示す断面図。
【符号の説明】
１ ゴルフクラブヘッド
１Ａ ヘッド本体
２ フェース部材
２Ａ フェース部
３ ソール・バックフェース部材
３Ａ ソール部
３Ｂ 側壁部
３Ｃ ソール部のフェース部後方部位
４ 打球音制御部材
４Ａ 打球音制御部材
４ａ 切欠部
４Ｂ 打球音制御部材
５ クラウン部材
５Ａ クラウン部
６ トウ部
７ ヒール部
８ バックフェース部
９ ホーゼル部
９Ａ ホーゼル端部
１０ 溶接部
１１ フェース・ホーゼル部材
１１Ａ フェース部
１１Ｂ ホーゼル部
１１Ｃ ホーゼル端部
２０ ゴルフクラブヘッド
２１ ヘッド本体
２２ 周側壁部
２３ フェース部
２４ ソール部
２４Ａ ソール部のフェース部後方部位
２５ クラウン部
２６ 補強リブ部材
２７ 音響調整部材
２８ 隙間
２９ ウエイト付加板片
３０ バックフェース部
Ｘ・・・打球方向
【図１】
0003854066.tif 000002
【図２】
0003854066.tif 000003
【図３】
0003854066.tif 000004
【図４】
0003854066.tif 000005
【図５】
0003854066.tif 000006
【図６】
0003854066.tif 000007
【図７】
0003854066.tif 000008
【図８】
0003854066.tif 000009
【図９】
0003854066.tif 000010
【図１０】
0003854066.tif 000011
【図１１】
0003854066.tif 000012
【図１２】
0003854066.tif 000013
【図１３】
0003854066.tif 000014
【図１４】
0003854066.tif 000015
【図１５】
0003854066.tif 000016